(57)【要約】異なる通信規格をサポートするネットワークにおいてセル割り当てを決定するための技術が提供される。
2004511980.tif 000002
【特許請求の範囲】
【請求項１】
複数のセル形式と、複数のサービス形式の少なくとも１つを有するユーザとを備えたワイヤレスネットワークにおいてユーザに対してセルの割り当てを決定する方法であって、サービス形式ごとに、各セル形式に対するプライオリティを含むプライオリティテーブルを定義することを含む方法。
【請求項２】
複数のプライオリティテーブルを定義することを更に含む請求項１に記載の方法。
【請求項３】
ネットワークにおける各セルに対するプライオリティテーブルを定義することを更に含む請求項２に記載の方法。
【請求項４】
ネットワークにおけるセルのグループに対するプライオリティテーブルを定義することを更に含む請求項２に記載の方法。
【請求項５】
第１形式のプライオリティテーブルを定義することを更に含み、第１形式のプライオリティテーブルにおける各サービス形式は、ネットワークによりサポートされる複数のサービス形式に対応する請求項１ないし４のいずれかに記載の方法。
【請求項６】
第１形式のプライオリティテーブルは、ネットワークに接続されたユーザ装置に対するセル割り当てを決定するのに使用される請求項５に記載の方法。
【請求項７】
上記セル割り当ては、ユーザ装置が接続されたセルに関連したプライオリティテーブルを使用して決定される請求項６に記載の方法。
【請求項８】
第２形式のプライオリティテーブルを定義することを更に含み、第２形式のプライオリティテーブルにおける各サービス形式は、ユーザ装置によりサポートされる少なくとも１つのサービス形式に対応する請求項１ないし７のいずれかに記載の方法。
【請求項９】
各サービス形式は、ユーザ装置のＳＩＭカードにより以前にアクセスされた少なくとも１つのサービス形式に対応する請求項１ないし８のいずれかに記載の方法。
【請求項１０】
第２形式のプライオリティテーブルは、アイドル状態であるユーザ装置に対するセル割り当てを決定するのに使用される請求項８又は９に記載の方法。
【請求項１１】
ユーザに対する複数のセル形式の利用性に応答して、ユーザは、ユーザのサービス形式に基づき最も高い関連プライオリティを有する複数のセルの１つに接続される請求項１ないし１０のいずれかに記載の方法。
【請求項１２】
上記セル形式の利用性は、測定段階において決定される請求項１ないし１１のいずれかに記載の方法。
【請求項１３】
複数のセル形式と、複数のサービス形式の少なくとも１つを有するユーザとを備えたワイヤレスネットワークにおいてユーザに対してセルの割り当てを決定する方法であって、ユーザ装置において少なくとも１つのセルから受信した信号の信号強度を測定し、所定のスレッシュホールドより高い信号強度を有する受信信号を決定し、サービス形式ごとに、各セル形式に対するプライオリティより成るプライオリティテーブルを定義し、そしてスレッシュホールドより高い信号強度を有するセルに対して割り当てられたプライオリティに基づきユーザ装置を接続すべきセルを決定するという段階を備えた方法。
【請求項１４】
上記プライオリティテーブルは、ネットワークオペレータにより定義される請求項１ないし１３のいずれかに記載の方法。
【請求項１５】
複数のサービス形式の少なくとも１つを有するユーザをサポートするための複数のセル形式を有するワイヤレス通信ネットワークにおいて、サービス形式ごとに、各セル形式に対するプライオリティが定義されたプライオリティテーブルが定義されるワイヤレス通信ネットワーク。
【請求項１６】
複数のプライオリティテーブルが定義される請求項１５に記載のワイヤレス通信ネットワーク。
【請求項１７】
ネットワークにおいて各セルに対するプライオリティテーブルが定義される請求項１５に記載のワイヤレス通信ネットワーク。
【請求項１８】
第１形式のプライオリティテーブルが定義され、第１形式のプライオリティテーブルにおける各サービス形式は、ネットワークによりサポートされる複数のサービス形式に対応する請求項１５ないし１７のいずれかに記載のワイヤレス通信ネットワーク。
【請求項１９】
第１形式のプライオリティテーブルは、ネットワークに接続されたユーザ装置に対するセル割り当てを決定するのに使用される請求項１８に記載のワイヤレス通信ネットワーク。
【請求項２０】
第２形式のプライオリティテーブルが定義され、第２形式のプライオリティテーブルにおける各サービス形式は、ユーザ装置によりサポートされる少なくとも１つのサービス形式に対応する請求項１５ないし１９のいずれかに記載のワイヤレス通信ネットワーク。
【請求項２１】
各サービス形式は、ユーザ装置のＳＩＭカードにより以前にアクセスされた少なくとも１つのサービス形式に対応する請求項１５ないし２０のいずれかに記載のワイヤレス通信ネットワーク。
【請求項２２】
第２形式のプライオリティテーブルは、アイドル状態であるユーザ装置に対するセル割り当てを決定するのに使用される請求項２１に記載のワイヤレス通信ネットワーク。
【請求項２３】
ユーザは、ユーザのサービス形式又は装置形式に対して最も高いプライオリティを有する使用可能なセルに接続される請求項１５ないし２２のいずれかに記載のワイヤレス通信ネットワーク。
【請求項２４】
複数のサービス形式の少なくとも１つを有するユーザをサポートするための複数のセル形式を有するワイヤレス通信システムにおけるネットワーク要素であって、サービス形式ごとに各セル形式に対するプライオリティより成るプライオリティテーブルが、セルごとに記憶されたネットワーク要素。
【発明の詳細な説明】
【０００１】
【技術分野】
本発明は、２つ以上の通信規格が使用されたワイヤレス通信ネットワークに係り、より詳細には、第２及び第３世代の両機能をサポートするワイヤレス通信ネットワークに係るが、これに限定されない。
【０００２】
【背景技術】
近い将来、第２世代（２Ｇ）の移動ネットワークが、第３世代（３Ｇ）の移動ネットワークで補足されそして一部分それに置き換えられる。これは、世界中の多数の部分において、２Ｇ規格が唯一の主たる移動ネットワーク技術である状態から、２つの主たる移動ネットワーク技術即ち２Ｇ及び３Ｇが存在する状態へと移行することを意味する。例えば、ヨーロッパでは、ＧＳＭが唯一の主たる規格である状態から、ＧＳＭ及び３ＧＰＰ（第３世代パートナーシッププロジェクト）の両方が主たる規格である状態へと切り換わる。
【０００３】
従って、ネットワークオペレータは、将来、ＧＳＭと３ＧＰＰ技術を含む移動ネットワークをしばしば有し、３ＧＰＰ技術は、多数の５ＭＨｚ３ＧＰＰ搬送波を使用して展開される。又、両規格におけるセルサイズは、屋内及び街路レベルのピコセル及びマイクロセルから大きなマクロセルまで相違する。従って、オペレータは、異なるネットワーク技術及びそれに対して使用可能なセル形式を使用して必要なトラフィックにいかにサービスすべきか判断しなければならない。
【０００４】
オペレータの目標は、サービスされるユーザの数を最大にしそしてカバレージエリアにおいてある所定のカバレージ確率を与えることである。カバレージエリアにおける必要なトラフィックは、異なるサービスクオリティ（ＱＯＳ）要件が望まれる種々の接続より成る。ＱＯＳは、例えば、ビットレート、最大許容遅延及びビットエラー率（ＢＥＲ）により定義される。サービスされるユーザの数を最大にするために、最低限の努力しか必要としない考えられるセル形式及び技術において異なる形式の接続にサービスしなければならない。
【０００５】
例えば、ビットレート３８４ｋビット／ｓでリアルタイム接続を要求しているユーザ装置（ＵＥ）について考える。オペレータは、主としてこのユーザに３ＧＰＰセルでサービスすることを希望する。というのは、３ＧＰＰ規格は、３８４ｋビット／ｓのビットレートを与えることができるからである。
現在提案されているシステムでは、オペレータは、売主により提供されるセル選択又はハンドオーバーアルゴリズムに依存しなければならず、これは、オペレータの観点から使用可能な技術及びセル形式において異なる形式の接続を満足に分配するものではない。
【０００６】
第２世代のシステム、例えば、ＧＳＭ及びＩＳ−９５では、必要なトラフィックをサービスの形式に基づいて異なる技術及び形式をもつセルに分割するという問題は、２つの理由で重要でない。第１に、第２世代のシステムでは、必要なトラフィックがほとんどスピーチサービスより成る。データサービスも可能であるが、スピーチより使用量が少ない。提供されるトラフィックの、ビットレート、最大遅延及びＢＥＲ要求といった多様性は、３ＧＰＰネットワークよりも著しく低い。第２に、３ＧＰＰネットワークが配備される前に、オペレータが、システム間ハンドオーバーが可能である多数の規格からのシステムより成るネットワークを動作することが一般的になっていない。そこで、本発明の目的は、２つ以上の通信規格をサポートするワイヤレス通信システムにおいてターゲットセルを選択するための改良された技術を提供することである。
【０００７】
【発明の開示】
本発明によれば、複数のセル形式と、複数のサービス形式の少なくとも１つを有するユーザとを備えたワイヤレスネットワークにおいてユーザに対してセルの割り当てを決定する方法であって、サービス形式ごとに、各セル形式に対するプライオリティを含むプライオリティテーブルを定義することを含む方法が提供される。
セルの割り当ては、セルの選択又はハンドオーバーである。
上記方法は、更に、複数のプライオリティテーブルを定義することを含む。上記方法は、更に、ネットワークの各セルに対してプライオリティテーブルを定義することを含む。上記方法は、更に、ネットワークにおけるセルのグループに対してプライオリティテーブルを定義することを含む。
【０００８】
上記方法は、更に、第１形式のプライオリティテーブルを定義することを含み、第１形式のプライオリティテーブルにおける各サービス形式は、ネットワークによりサポートされる複数のサービス形式に対応する。第１形式のプライオリティテーブルは、ネットワークに接続されたユーザ装置に対するセル割り当てを決定するのに使用される。セルの割り当ては、ユーザ装置が接続されたセルに関連したプライオリティテーブルを使用して決定される。
上記方法は、更に、第２形式のプライオリティテーブルを定義することを含み、第２形式のプライオリティテーブルにおける各サービス形式は、ユーザ装置によりサポートされる少なくとも１つのサービス形式に対応する。
【０００９】
各サービス形式は、ユーザ装置のＳＩＭカードにより以前にアクセスされた少なくとも１つのサービス形式に対応する。
第２形式のプライオリティテーブルは、アイドル状態であるユーザ装置に対するセル割り当てを決定するのに使用される。
ユーザに対する複数のセル形式の利用性に応答して、ユーザは、ユーザのサービス形式に基づき最も高い関連プライオリティを有する複数のセルの１つに接続される。
セル形式の利用性は、測定段階において決定される。
【００１０】
本発明は、更に、複数のセル形式と、複数のサービス形式の少なくとも１つを有するユーザとを備えたワイヤレスネットワークにおいてユーザに対してセルの割り当てを決定する方法であって、ユーザ装置において少なくとも１つのセルから受信した信号の信号強度を測定し、所定のスレッシュホールドより高い信号強度を有する受信信号を決定し、サービス形式ごとに、各セル形式に対するプライオリティより成るプライオリティテーブルを定義し、そしてスレッシュホールドより高い信号強度を有するセルに対して割り当てられたプライオリティに基づきユーザ装置を接続すべきセルを決定するという段階を備えた方法を提供する。プライオリティテーブルは、ネットワークオペレータにより定義される。
【００１１】
本発明は、更に、複数のサービス形式の少なくとも１つを有するユーザをサポートするための複数のセル形式を有するワイヤレス通信ネットワークにおいて、サービス形式ごとに、各セル形式に対するプライオリティが定義されたプライオリティテーブルが定義されるワイヤレス通信ネットワークを提供する。
好ましくは、複数のプライオリティテーブルが定義される。
好ましくは、ネットワークにおいて各セルに対するプライオリティテーブルが定義される。
【００１２】
第１形式のプライオリティテーブルが定義され、第１形式のプライオリティテーブルにおける各サービス形式は、ネットワークによりサポートされる複数のサービス形式に対応する。
第１形式のプライオリティテーブルは、ネットワークに接続されたユーザ装置に対するセル割り当てを決定するのに使用される。
第２形式のプライオリティテーブルが定義され、第２形式のプライオリティテーブルにおける各サービス形式は、ユーザ装置によりサポートされる少なくとも１つのサービス形式に対応する。
【００１３】
各サービス形式は、ユーザ装置のＳＩＭカードにより以前にアクセスされた少なくとも１つのサービス形式に対応する。
第２形式のプライオリティテーブルは、アイドル状態であるユーザ装置に対するセル割り当てを決定するのに使用される。
ユーザは、ユーザのサービス形式又は装置形式に対して最も高いプライオリティを有する使用可能なセルに接続される。
又、本発明は、複数のサービス形式の少なくとも１つを有するユーザをサポートするための複数のセル形式を有するワイヤレス通信システムにおけるネットワーク要素であって、サービス形式ごとに各セル形式に対するプライオリティより成るプライオリティテーブルが、セルごとに記憶されたネットワーク要素も提供する。
【００１４】
それ故、本発明は、ネットワークオペレータが、異なる形式の要求された接続を、プライオリティ決めされた技術及びセル形式に容易に関連付けできるようにするプライオリティテーブルを提案する。このプライオリティテーブルは、ユーザ装置がセル選択又はハンドオーバーを実行するときにアイドルモード又は接続モードで使用されるのが好ましい。
オペレータの目標は、サービスを受けるユーザの数を最大にし、そしてカバレージエリアにおいてある所定のカバレージ確率を与えることである。カバレージエリアで要求されるトラフィックは、異なるサービスクオリティ（ＱＯＳ）要求が望まれる接続より成る。サービスを受けるユーザの数を最大にするためには、最低限の努力しか必要としない考えられるセル形式及び技術において異なる形式の接続にサービスしなければならない。本発明は、オペレータが、異なる形式の要求された接続を、プライオリティ決めされた技術及びセル形式に容易に関連付けできるようにするプライオリティテーブルを提案する。このプライオリティテーブルは、ＵＥがセル選択又はハンドオーバーを実行するときにアイドルモード又は接続モードで使用される。
【００１５】
本発明は、ネットワークオペレータが、異なる接続形式に、所望のセル形式において所望の技術でサービスするように容易に指令できるようにする。
本発明がないと、オペレータは、売主により提供されるセル割り当てアルゴリズムに依存しなければならず、これは、オペレータの観点から使用可能な技術及びセル形式において異なる形式の接続を満足に分配するものではない。
【００１６】
【発明を実施するための最良の形態】
以下、特定例を参照して本発明を説明するが、本発明は、これに限定されるものではない。選択された例は、２Ｇ及び３Ｇの両サービスを有するネットワークに関するものである。２Ｇサービスは、ＧＳＭサービスであり、そして３Ｇサービスは、３ＧＰＰである。この例では、ネットワークが、改善型２Ｇサービス、特にＥＤＧＥをサポートすると仮定する。更に、各サービスに対し、ネットワークがマイクロセル及びマクロセルの両方を備えていると仮定する。
【００１７】
図１は、このようなネットワークにおけるセルのカバレージを示す。図１は、３つのＧＳＭセル３２ａないし３２ｃを示す。各セルは、ＧＳＭベースステーション２２ａないし２２ｃによってサポートされる。更に、各ＧＳＭセル内には、３ＧＰＰセル３４ａないし３４ｃを画成する点線で示されたように３ＧＰＰセルカバレージが設けられる。図示された例では、３ＧＰＰカバレージの方がＧＳＭカバレージよりも制限されると仮定する。３ＧＰＰセルの各々は、ベースステーション２０ａないし２０ｃによりサポートされる。３ＧＰＰベースステーションは、必ずしも、ＧＳＭベースステーションと同じ位置になくてもよいことに注意されたい。ＧＳＭベースステーション２２ａないし２２ｃは、ＥＤＧＥのような改善型ＧＳＭオペレーションもサポートできる。図１には示されていないが、このような改善型オペレーションは、ＥＤＧＥセルを効果的に形成し、ＧＳＭカバレージ及び３ＧＰＰカバレージとは異なる第３のセルカバレージが与えられる。又、各形式の規格に対して、実際のセル構造が異なることにも注意されたい。例えば、セルは、マイクロセルとマクロセルを混合したものでよい。
【００１８】
図１には、ＵＥ３６が示されている。ＵＥの特定の形式又は構造は、本発明にとって重要でないことを理解されたい。ＵＥは、例えば、移動電話でよい。しかしながら、ＵＥは、本発明によるセル割り当て技術を使用するものであれば、いかなる装置でもよい。
このＵＥ３６は、ＧＳＭ及び３ＧＰＰセルカバレージエリア３４ｃ内にあり、それ故、潜在的に、いずれの規格を使用するネットワークにも接続できることが明らかである。本発明の目的は、以下に述べるように、ネットワークの一般的な利用性を最大にするのに最も適したネットワーク規格の１つを使用してネットワークにＵＥ３６を接続するよう確保することである。更に図１を参照すれば、更に別のＵＥ３８がＧＳＭセルのカバレージエリア３２ｃ内のみにあり、それ故、ＧＳＭ規格によりネットワークに接続されるだけである。
【００１９】
図２には、図１に示すセル構造をサポートするためのネットワークインフラストラクチャーの基本的な要素が示されている。図１に示したものに対応する図２のネットワーク要素は、同じ参照番号で示されている。
ＧＳＭベースステーション２２ａないし２２ｃの各々は、各通信リンク３０ａないし３０ｃによりベースステーションコントローラ（ＢＳＣ）１８に接続される。このベースステーションコントローラ１８及びベースステーション２２は、ベースステーションサブシステム（ＢＳＳ）を形成する。このベースステーションサブシステムは、２つ以上のベースステーションコントローラを含んでもよいことが当業者に明らかであろう。
【００２０】
３ＧＰＰベースステーション２０ａないし２０ｃの各々は、各通信リンク２８ａないし２８ｃにより無線ネットワークコントローラ（ＲＮＣ）１６に接続される。この無線ネットワークコントローラ１６及びベースステーション２０は、無線アクセスネットワーク（ＲＡＮ）を形成する。無線アクセスネットワークは、２つ以上の無線ネットワークコントローラを含んでもよいことが当業者に明らかであろう。
無線ネットワークコントローラ１６及びベースステーションコントローラ１８は、各通信リンク２４及び２６によりコアネットワークブロック１０に各々接続される。
【００２１】
図２のネットワーク構造は、図１に明確に例示された種々のベースステーションの地理的配置を示すものではないことが明らかであろう。図２は、一方のベースステーション２０又は２２を経てコアネットワーク１０に接続されるＵＥ４０を示す。コアネットワークは、ネットワークマネージメントシステム４２から通信ライン４４を経てネットワークパラメータのような制御情報を受信する。
本発明によれば、ネットワークへの所与のＵＥの接続は、ＵＥにより要求されるサービス形式、及び接続のためにＵＥに使用可能なセルに基づいて、決定される。本発明の好ましい実施形態では、ＵＥの接続は、ＵＥが既に接続されそしてハンドオーバーを行うべきかどうか、或いはＵＥが現在アイドル状態でありそして新たな接続を行うべきであるかどうかに基づく。アイドルモードにおいて、ＵＥはセルを変更してもよく、これをセル選択と称する。
【００２２】
本発明によれば、ＵＥを接続すべきセルを決定する上で助けとなるようにプライオリティテーブルのセットが定義される。以下に詳細に述べるように、本発明の好ましい実施形態では、プライオリティテーブルは、ネットワークの各セルに対して定義される。プライオリティテーブルは、ＲＮＣ１６及びＢＳＣ１８に記憶されるのが好ましい。各ＲＮＣ又はＢＳＣは、好ましい実施形態では、各ＲＮＣ又はＢＳＣが制御する各ベースステーションに対してプライオリティテーブルを記憶する。以下、特定例を参照して、本発明を詳細に述べる。
【００２３】
あるセルに特有の各プライオリティテーブルは、ネットワークにおいて利用できるサービスの全形式を、ネットワークにおいて使用できるセルの全形式に対してリストし、そしてこれら所与の形式のサービスの各々に対しこれら所与のセルの各々にプライオリティを割り当てる。プライオリティテーブルは、セルに対して独特のものとして定義される。
あるサービス形式を要求しているＵＥが現在特定のセルに接続されており、そしてハンドオーバーにおいて２つ以上の形式のセルに接続できる場合には、ＵＥが現在接続されているセルに対して定義されたプライオリティテーブルに基づいてセルが選択される。以下の例は、これを更に例示する。
【００２４】
以下の例では、２つの筋書きを説明する。第１の筋書きでは、ＵＥが「接続」モードにある。第２の筋書きでは、ＵＥが「アイドル」モードにある。
アイドルモードでは、ＵＥがターンオンされるが、ユーザ情報を転送するチャンネル、例えば、スピーチチャンネルは、確立されない。コアネットワーク、特に移動交換センターは、アイドルＵＥの位置エリアを知り、このエリアは、セルのグループより成る。コアネットワークが、アイドルモードにあるＵＥへ新たなコールを向ける必要がある場合には、ＵＥが位置しているセルを最初に位置決めしなければならない。これは、チャンネルが確立される前に行われねばならず、ページングとして知られている。アイドルモードにおいては、ＵＥが特定のセルにキャンプされ、そしてアイドルＵＥがネットワーク内を移動する場合に、ＲＮＣ又はＢＳＣは、ＵＥがキャンプインするための新たなセルを選択する。このプロセスは、セル選択と称される。又、アイドルモードにおいて、ＵＥは、ネットワークからのページングメッセージを聴取しなければならない。アイドルのＵＥは、それが異なる位置エリアに属するセルへと移動する場合には、コアネットワークへ位置エリア更新を送信しなければならない。
【００２５】
「接続」モードでは、ユーザ情報を転送するためのチャンネルが確立される。コアネットワークは、特に、ＵＥセルの位置を知る。接続モードでは、ＵＥがセルを変更するときにハンドオーバーが行われる。
接続モード及びアイドルモードの両方において、ＵＥは、ハンドオーバー及びセル選択測定を実行し、そしてそれらをＲＮＣ又はＢＳＣへ送信する。次いで、ＲＮＣ又はＢＳＣは、どのセルにＵＥが所属すべきか判断する。
従って、接続モード及びアイドルモードの両方において、アイドルモードのセル選択又は接続モードのハンドオーバーのいずれかに対しセルの割り当てを実行する必要がある。
【００２６】
テーブルＩには、図１及び２のネットワーク筋書きにおいて接続されるユーザ装置に対して定義されたプライオリティテーブルの一例が示されている。この例では、ＵＥが既にネットワーク内の特定セルに接続されていると仮定する。
【００２７】
【表１】
テーブル１
2004511980.tif 000003
【００２８】
上記テーブルＩは、図１及び２のネットワーク例で使用できる全ての異なるセル形式及び全ての異なるサービス形式（技術）を含む。他のネットワーク筋書きでは、他のセル形式及び他のサービス形式が与えられ、本発明は、テーブルＩに示した形式に限定されないことに注意されたい。テーブルＩは、ここに述べる例に対してオペレータのカバレージエリアに存在する全てのネットワーク可能性であると仮定する。全てのセル形式が、セルカバレージエリアのどこででも使用できるのではない。ここでは、特定のトラフィック形式に対して最も高いプライオリティを有するセル形式が、選択のために常に使用できるのではない。以下に詳細に述べるように、最もプライオリティの高いセルの選択は、ＵＥの測定レポートに含まれた使用可能なセル形式から行われるのが好ましい。
【００２９】
本発明及びプライオリティテーブルの使用を更に説明するために、テーブルＩに示されたプライオリティテーブルで例示されたように本発明を使用するセル割り当ての一例を以下に述べる。特定のＵＥが、ＧＳＭマイクロセルにおいて対話３２ｋビット／秒コールで現在接続されていると仮定する。以前のセル割り当ては、重要ではないが、例えば、以前のセル割り当てにおいてＧＳＭマイクロセルしか接続に使用できないと仮定する。既知のハンドオーバー技術に基づき、ＵＥは、コールが現在の接続で通るＢＳＣ１８にセル測定情報を返送する。これらのハンドオーバー測定情報を返送する際に、ＢＳＣは、３つのセルが、ハンドオーバーに対して充分良好な測定値を返送していると決定する。この例の説明上、これらのセルは、ＧＳＭマイクロセル、ＥＤＧＥマイクロセル及び３ＧＰＰマイクロセルとして識別されると仮定する。ＵＥは、現在特定のＧＳＭマイクロセルに接続されているので、ＢＳＣは、使用できるセルの形式を、そのセルに対するプライオリティテーブル（上記テーブルＩのプライオリティテーブルであると仮定する）に対して比較する。上記テーブルＩを参照すれば、ＢＳＣは、コールの現在形式（対話３２ｋビット／秒）の列である列５をルックアップする。上記テーブルＩのこの列を参照すれば、ハンドオーバーに使用できる３つのセルは、プライオリティ１（ＥＤＧＥマイクロセル）、３（３ＧＰＰマイクロセル）及び５（ＧＳＭマイクロセル）を有するセルに対応することが明らかである。これに基づき、ハンドオーバーに対して最もプライオリティの高いセルは、ＥＤＧＥマイクロセルであり、それ故、このセルがハンドオーバーに対して選択され、そしてＢＳＣを経てハンドオーバーが行われる。
【００３０】
本発明によるセル間のハンドオーバーのメカニズムは、既知の技術に基づくことに注意されたい。本発明は、セル割り当て段階に使用される。
又、上述した例は、ＵＥハンドオーバーが、コール形式を変更せずに行われる場合を参照したことも注意されたい。ＵＥによって要求されるサービスの形式がコール中に変化する場合には、既存のセルに対するプライオリティテーブル及びハンドオーバーに対する他のセルの利用性に基づいて同様のハンドオーバーを行うことができる。
【００３１】
テーブルＩＩを参照して、図１及び２のネットワーク筋書きで接続されるユーザ装置に対して定義されるプライオリティテーブルの更に別の例を説明する。この例では、ＵＥがアイドルモードにあると仮定する。
【表２】
テーブルＩＩ
2004511980.tif 000004
【００３２】
アイドルモードでは、移動ステーションが次に要求する接続形式が分からない。従って、この好ましい実施形態では、セル形式及び技術の選択は、ＵＥに使用される特定のＳＩＭ（加入者認識モジュール）カードのサービス経歴或いはＵＥクラスマークに基づいて行われる。ＵＥクラスマークは、ＵＥがサポートできる規格、即ちＵＥの能力を定義する。従って、アイドルモードでは、サービス形式は、ユーザが使用を希望するサービス形式ではなく、ＵＥがサポートすることのできるサービス形式であると理解できる。同様に、サービス形式は、ＵＥに設けられたＳＩＭカードを使用して以前にアクセスされたサービス形式であると考えてもよい。
【００３３】
更に、添付図面を参照して、本発明の実施形態を以下に詳細に述べる。
従来のワイヤレスネットワーク技術によれば、ネットワークマネージメントシステム（ＮＭＳ）４２は、ハンドオーバートリガースレッシュホールドをセットし、そしてこの情報を無線ネットワークコントローラ１６及びベースステーションコントローラ１８へ供給する。再び、従来の技術により、ハンドオーバートリガーがＲＮＣ１６又はＢＳＣ１８において検出される。ハンドオーバートリガーは、例えば、負荷の変化、サービスの変更又はカバレージの変化の結果として起きる。
【００３４】
再び、従来の技術に基づき、ハンドオーバートリガーに応答して、ＲＮＣ１６又はＢＳＣ１８は、識別されたＵＥ（１つ又は複数）がセル選択又はハンドオーバー測定を行うように指令する。次いで、ＵＥは、セル選択又はハンドオーバー測定情報をＲＮＣ１６又はＢＳＣ１８へ返送する。
次いで、ＲＮＣ１６又はＢＳＣ１８は、ＲＮＣ又はＢＳＣにより得られた（ＵＥにより供給された）測定値、サービスプライオリティ及び負荷情報に基づいてＵＥに対するターゲットセルを選択する。測定レポートにリストされたセルの負荷に関する情報は、常に使用できなくてもよい。ＲＮＣ１６又はＢＳＣ１８は、無線リンクのクオリティに関して測定レポートにおいて受け入れられるセルを探す。
【００３５】
本発明によれば、上述したように、上記プライオリティテーブルは、ＵＥのアイドルモード又は接続モードのいずれかにおいて、セルの割り当て即ちターゲットセルの選択に使用される。次いで、ＲＮＣ１６又はＢＳＣ１８は、最も高いプライオリティのセル形式及び適当な所望の技術でスタートして、現在セルに対して定義されたプライオリティリストをチェックし、ＲＮＣ又はＢＳＣは、セルが移動ステーションの測定レポートにおいて受け入れられるものの中にあったかどうかチェックする。もしそうであれば、ＵＥは、当該セルに接続される。最も高い優先順位のセルがＵＥの測定レポートに存在しなかった場合には、次に最も高い優先順位のセルがプライオリティリストから選択される。測定レポートにリストされたセルがどれもプライオリティリストにない場合には、サービスに基づくセルの割り当てが省略され、そして最良のセルを選択するための他の基準が採用される。
【００３６】
ＲＮＣ又はＢＳＣにおいて定義された特定セルに対するプライオリティテーブルは、ネットワークマネージメントシステム４２においてネットワークオペレータにより変更されてもよい。
上記の例において、プライオリティテーブルは、セルに特有又は独特のものとして説明された。しかしながら、本発明は、このような構成に限定されない。或いは又、プライオリティテーブルは、大きなエンティティとして定義されてもよい。例えば、プライオリティテーブルは、セルのグループに対して特有であってもよい。更に別の実施形態では、プライオリティテーブルは、特定のＵＥ、ＳＩＭカード又は他のものに対して特有であるとして定義されてもよい。当業者であれば、本発明によりプライオリティテーブルを割り当てる概念を広く応用して、ネットワークリソースをより効率的に割り当てるよう改善する上で助けとすることが明らかであろう。
【００３７】
上述したように、プライオリティテーブルは、ＵＥがアイドルモード又は接続モードにおいてセルの割り当てを実行するときに使用される。ここに述べる好ましい実施形態では、プライオリティテーブルは、ＲＮＣ又はＢＳＣに記憶される。というのは、ターゲットセルの選択を実行するのがＲＮＣ又はＢＳＣだからである。しかしながら、本発明は、プライオリティテーブルがＲＮＣ又はＢＳＣに記憶されることに限定されるものではなく、他の位置を使用することもできる。プライオリティテーブルは、ネットワークマネージメントシステムにより定義されそして変更されるのが好ましい。
【００３８】
上述した好ましい実施形態を具現化するために、好ましい具現化のモードは、オペレータネットワークにおける各セルに対するプライオリティテーブルを定義するためのセル特有の可能性をＮＭＳ４２に追加することであると提案される。プライオリティリストは、アイドルモード及び接続モードにおいてＵＥに対して別々に定義されるのが好ましい。プライオリティテーブルは、ＲＮＣ又はＢＳＣが移動ステーションから測定レポートを受信するときに実施される。ＵＥの現在セルに対するプライオリティテーブルが使用される。
【００３９】
以上、種々の特定例を参照して本発明を説明した。当業者であれば、これらの例を越えた本発明の広い応用が明らかであろう。従って、本発明の範囲は、特許請求の範囲により規定されるものとする。
【図面の簡単な説明】
【図１】
ＧＳＭ及び３ＧＰＰ結合ネットワークのセル構造を示す図である。
【図２】
ＧＳＭ及び３ＧＰＰ結合ワイヤレスネットワークの基本的ネットワークアーキテクチャーを示す図である。
【図２】
2004511980.tif 000005
【国際公開パンフレット】
2004511980.tif 000006
2004511980.tif 000007
2004511980.tif 000008
2004511980.tif 000009
2004511980.tif 000010
2004511980.tif 000011
2004511980.tif 000012
2004511980.tif 000013
2004511980.tif 000014
2004511980.tif 000015
2004511980.tif 000016
2004511980.tif 000017
2004511980.tif 000018
2004511980.tif 000019
2004511980.tif 000020
2004511980.tif 000021
2004511980.tif 000022
2004511980.tif 000023
2004511980.tif 000024
2004511980.tif 000025
2004511980.tif 000026
2004511980.tif 000027
2004511980.tif 000028
【国際公開パンフレット（コレクトバージョン）】
2004511980.tif 000029
2004511980.tif 000030
【国際調査報告】
2004511980.tif 000031
2004511980.tif 000032